(57)【特許請求の範囲】
【請求項１】
通信システムにおいて動的な負荷平準化を容易にする方法であって、
１または複数のモバイル・デバイスによって送信されたランダム・アクセス・プリアンブルに少なくとも部分的に基づいて、第１の周波数と第２の周波数との間に負荷アンバランスが存在するかを基地局で判定することと、
前記負荷アンバランスを判定することに応じて、前記基地局から前記１または複数のモバイル・デバイスの少なくともサブセットに、獲得インジケータ・チャネルで、インジケータをシグナルすることとを備え、
前記インジケータは、（１）前記ランダム・アクセス・プリアンブルを送信するために、前記サブセットによって適用されている周波数とは異なる新たな周波数に移行するように命じるコマンドと、（２）前記ランダム・アクセス・プリアンブルに対する否定的アクノレッジメントとを含み、
前記インジケータは、前記１または複数のモバイル・デバイスの前記サブセットに対して、前記新たな周波数へ移行した後、前記新たな周波数においてランダム・アクセス手続を開始させるように構成される方法。
【請求項２】
ダウンリンク周波数で、前記１または複数のモバイル・デバイスとの接続を確立することをさらに備える請求項１に記載の方法。
【請求項３】
前記ダウンリンク周波数は、前記ランダム・アクセス・プリアンブルを送信するために使用される周波数とペアとされる請求項２に記載の方法。
【請求項４】
前記新たな周波数は、前記ダウンリンク周波数とペアとされない請求項２に記載の方法。
【請求項５】
前記負荷アンバランスを判定することは、前記第１の周波数が、前記第２の周波数よりも負荷が高いかを確認することを備える請求項１に記載の方法。
【請求項６】
通信システムにおいて、アップリンク周波数における動的な負荷平準化を容易にする装置であって、
１または複数のモバイル・デバイスからのシグナリングに少なくとも部分的に基づいて、アップリンク周波数の負荷を基地局で判定する負荷評価部と、
前記負荷評価部によって負荷アンバランスが示された場合、負荷アンバランスに対する解決策を決定する平準化モジュールと、
前記負荷アンバランスを判定することに応じて、前記基地局から少なくとも１つのモバイル・デバイスへインジケータをシグナルするＡＩＣＨモジュールとを備え、
前記インジケータは、（１）前記少なくとも１つのモバイル・デバイスに対して、新たなアップリンク周波数へ移行するように命じるコマンドと、（２）前記シグナリングに対する否定的アクノレッジメントとを含み、
前記インジケータは、前記少なくとも１つのモバイル・デバイスに対して、前記新たなアップリンク周波数へ移行した後、前記新たなアップリンク周波数においてランダム・アクセス手続を開始させるように構成される装置。
【請求項７】
前記１または複数のモバイル・デバイスからのシグナリングは、ランダム・アクセス・プリアンブルを含む請求項６に記載の装置。
【請求項８】
前記１または複数のモバイル・デバイスからのシグナリングは、前記１または複数のモバイル・デバイスに接続されたダウンリンク周波数とペアとされたアップリンク周波数で受信される請求項６に記載の装置。
【請求項９】
前記新たなアップリンク周波数は、前記ダウンリンク周波数とペアとされない請求項８に記載の装置。
【請求項１０】
前記ＡＩＣＨモジュールは、前記インジケータを、獲得インジケータ・チャネルまたはエンハンスト獲得インジケータ・チャネルのうちの少なくとも１つでシグナルする請求項６に記載の装置。
【請求項１１】
動的な負荷平準化を容易にする装置であって、
ランダム・アクセス・プリアンブルを第１のアップリンク周波数でモバイル局から基地局に送信するランダム・アクセス・モジュールと、
前記モバイル局で前記基地局から獲得インジケータ・チャネル（ＡＩＣＨ）でインジケータが受信されたかを判定するＡＩＣＨ評価部とを備え、
前記インジケータは、（１）周波数を移行させるためのコマンドと、（２）前記ランダム・アクセス・プリアンブルに対する否定的アクノレッジメントとを含み、
前記インジケータは、前記基地局が前記ランダム・アクセス・プリアンブルに基づいて、前記第１のアップリンク周波数と第２のアップリンク周波数との間の負荷アンバランスを判定することに応じ、
前記装置はさらに、
前記コマンドに応じて、アップリンク周波数を前記第２のアップリンク周波数に切り換える周波数セレクタを備え、
前記ランダム・アクセス・モジュールは、前記第２のアップリンク周波数への切り換えの後、前記第２のアップリンク周波数でランダム・アクセス手続を開始する装置。
【請求項１２】
前記第１のアップリンク周波数は、送信を受信するために前記装置によって適用されるダウンリンク周波数とペアとされる請求項１１に記載の装置。
【請求項１３】
前記第２のアップリンク周波数は、予め設定される請求項１１に記載の装置。
【請求項１４】
前記第２のアップリンク周波数は、送信を受信するために使用されるダウンリンク周波数とペアとされない請求項１１に記載の装置。
【請求項１５】
通信システムにおいて負荷アンバランスを動的に解決することを容易にする方法であって、
ランダム・アクセス・プリアンブルを第１のアップリンク周波数でモバイル局から基地局に送信することと、
（１）第２の別のアップリンク周波数に移行するためのコマンドと、（２）前記ランダム・アクセス・プリアンブルに対する否定的アクノレッジメントとを含むインジケータを、前記モバイル局において前記基地局から獲得インジケータ・チャネルで受信することとを備え、
前記インジケータは、前記基地局が前記ランダム・アクセス・プリアンブルに基づいて、前記第１と第２のアップリンク周波数との間の負荷アンバランスを判定することに応じ、
前記方法はさらに、
前記インジケータに応じて、前記第２のアップリンク周波数へ切り換えることと、
前記切り換えの後、前記第２のアップリンク周波数でランダム・アクセス手続を開始することとを備える方法。
【請求項１６】
前記第１のアップリンク周波数とペアをなすダウンリンク周波数で、前記基地局に接続することをさらに備える請求項１５に記載の方法。
【請求項１７】
前記第２のアップリンク周波数は、前記ダウンリンク周波数とペアとされない請求項１６に記載の方法。
【請求項１８】
前記第２のアップリンク周波数において、ランダム・アクセス手続を開始することをさらに備える請求項１５に記載の方法。
【請求項１９】
前記第２のアップリンク周波数は、予め設定される請求項１５に記載の方法。
【請求項２０】
通信システムにおいて動的な負荷平準化を容易にする装置であって、
１または複数のモバイル・デバイスによって送信されたランダム・アクセス・プリアンブルに少なくとも部分的に基づいて、第１の周波数と第２の周波数との間に負荷アンバランスが存在するかを基地局で判定するための手段と、
前記負荷アンバランスを判定することに応じて、前記基地局から前記１または複数のモバイル・デバイスの少なくともサブセットに、獲得インジケータ・チャネルで、インジケータをシグナルするための手段とを備え、
前記インジケータは、（１）前記ランダム・アクセス・プリアンブルを送信するために、前記サブセットによって適用されている周波数とは異なる新たな周波数に移行するように命じるコマンドと、（２）前記ランダム・アクセス・プリアンブルに対する否定的アクノレッジメントとを含み、
前記インジケータは、前記１または複数のモバイル・デバイスの前記サブセットに対して、前記新たな周波数に移行した後、前記新たな周波数でランダム・アクセス手続を開始させるように構成される装置。
【請求項２１】
ダウンリンク周波数で、前記１または複数のモバイル・デバイスとの接続を確立するための手段をさらに備える請求項２０に記載の装置。
【請求項２２】
前記ダウンリンク周波数は、前記ランダム・アクセス・プリアンブルを送信するために使用される周波数とペアとされる請求項２１に記載の装置。
【請求項２３】
前記新たな周波数は、前記ダウンリンク周波数とペアとされない請求項２１に記載の装置。
【請求項２４】
前記負荷アンバランスを判定するための手段は、前記ランダム・アクセス・プリアンブルを送信するために、前記サブセットによって適用されている前記周波数が、前記新たな周波数よりも負荷が高いかを確認するための手段を備える請求項２０に記載の装置。
【請求項２５】
通信システムにおいて負荷アンバランスを動的に解決することを容易にする装置であって、
ランダム・アクセス・プリアンブルを第１のアップリンク周波数でモバイル局から基地局に送信するための手段と、
（１）第２の別のアップリンク周波数に移行するためのコマンドと、（２）前記ランダム・アクセス・プリアンブルに対する否定的アクノレッジメントとを含むインジケータを、獲得インジケータ・チャネルで前記モバイル局において前記基地局から受信するための手段とを備え、
前記インジケータは、前記基地局が前記ランダム・アクセス・プリアンブルに基づいて、前記第１のアップリンク周波数と第２のアップリンク周波数との間の負荷アンバランスを判定することに応じ、
前記装置はさらに、
前記インジケータに応じて、前記第２のアップリンク周波数へ切り換えるための手段と、
前記切り換えの後、前記第２のアップリンク周波数でランダム・アクセス手続を開始するための手段とを備える装置。
【請求項２６】
前記第１のアップリンク周波数とペアをなすダウンリンク周波数で、前記基地局に接続するための手段をさらに備える請求項２５に記載の装置。
【請求項２７】
前記第２のアップリンク周波数は、前記ダウンリンク周波数とペアとされない請求項２６に記載の装置。
【請求項２８】
前記第２のアップリンク周波数において、ランダム・アクセス手続を開始するための手段をさらに備える請求項２５に記載の装置。
【請求項２９】
前記第２のアップリンク周波数は、予め設定される請求項２５に記載の装置。
【請求項３０】
１または複数のモバイル・デバイスによって送信されたランダム・アクセス・プリアンブルに少なくとも部分的に基づいて、第１の周波数と第２の周波数との間に負荷アンバランスが存在するかを基地局で判定し、
前記負荷アンバランスを判定することに応じて、前記基地局から前記１または複数のモバイル・デバイスの少なくともサブセットに、獲得インジケータ・チャネルで、インジケータをシグナルするために実行可能な命令群を格納したコンピュータ読取可能記憶媒体であって、
前記インジケータは、（１）前記ランダム・アクセス・プリアンブルを送信するために、前記サブセットによって適用されている周波数とは異なる新たな周波数に移行するように命じるコマンドと、（２）前記ランダム・アクセス・プリアンブルに対する否定的アクノレッジメントとを含み、
前記インジケータは、前記１または複数のモバイル・デバイスの前記サブセットに対して、前記新たな周波数に移行した後、前記新たな周波数でランダム・アクセス手続を開始させるように構成されるコンピュータ読取可能記憶媒体。
【請求項３１】
実行可能な命令群を格納したコンピュータ読取可能記憶媒体であって、
前記命令群は、
ランダム・アクセス・プリアンブルを第１のアップリンク周波数でモバイル局から基地局に送信することと、
（１）第２の別のアップリンク周波数に移行するためのコマンドと、（２）前記ランダム・アクセス・プリアンブルに対する否定的アクノレッジメントとを含むインジケータを、獲得インジケータ・チャネルで前記モバイル局において前記基地局から受信することとを実行し、
前記インジケータは、前記基地局が前記ランダム・アクセス・プリアンブルに基づいて、前記第１と第２のアップリンク周波数との間の負荷アンバランスを判定することに応じ、
前記命令群はさらに、
前記インジケータに応じて、前記第２のアップリンク周波数へ切り換えることと、
前記切り換えの後、前記第２のアップリンク周波数でランダム・アクセス手続を開始することとを実行するコンピュータ読取可能記憶媒体。
【発明の詳細な説明】
【関連出願に対する相互参照】
【０００１】
本願は、２００８年３月３１日に出願された“ＤＹＮＡＭＩＣ  ＵＰＬＩＮＫ  ＬＯＡＤ  ＢＡＬＡＮＣＩＮＧ  ＵＳＩＮＧ  Ｅ−ＡＩＣＨ”と題された米国仮特許出願６１／０４１，０５９号の利益を主張する。上記出願の全体は、参照によって本明細書に組み込まれる。
【技術分野】
【０００２】
以下の記述は、一般に無線通信に関し、さらに詳しくは、獲得インジケータを利用した動的な負荷平準に関する。
【背景技術】
【０００３】
無線通信システムは、例えば、音声、データなどのようなさまざまなタイプの通信コンテンツを提供するために広く開発された。一般的な無線通信システムは、（例えば、帯域幅、送信電力などのような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどを含む。さらに、これらシステムは、第３世代パートナシップ計画（３ＧＰＰ）、３ＧＰＰ２、３ＧＰＰロング・ターム・イボリューション（ＬＴＥ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００６】
ＭＩＭＯシステムは、データ送信のために、一般に、複数（ＮＴ個）の送信アンテナと、複数（ＮＲ個）の受信アンテナとを使用する。ＮＴ個の送信アンテナおよびＮＲ個の受信アンテナによって形成されたＭＩＭＯチャネルは、空間チャネルと称されるＮＳ個の独立したチャネルへ分割されうる。ここで、ＮＳ≦｛ＮＴ，ＮＲ｝である。ＮＳ個の独立チャネルのおのおのは、ディメンションに相当する。さらに、複数の送信アンテナおよび受信アンテナによって形成された追加のディメンションが利用される場合、ＭＩＭＯシステムは、改善されたパフォーマンス（例えば、高められたスペクトル効率、より高いスループット、および／または、より高い信頼性）を提供する。
【０００７】
無線通信では、ユーザ機器は、セル選択メカニズムに基づいて、利用する周波数あるいはキャリアを選択することができる。選択メカニズムによって、複数のユーザ機器が、単一の周波数を利用できるようになる。したがって、ユーザ機器は、別の周波数が比較的利用されていないのに対して、特定の周波数に過剰に負荷をかけることがある。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
１または複数の実施形態および対応する開示によれば、さまざまな態様が、無線ネットワークにおける動的な負荷平準化に関連して記載される。特に、基地局（例えば、ｅＮｏｄｅＢ、ＮｏｄｅＢ、アクセス・ポイント等）は、モバイル・デバイスによってシグナルされたランダム・アクセス・プリアンブルに少なくとも部分的に基づいてアップリンク周波数の負荷アンバランスを検出しうる。基地局は、モバイル・デバイスの少なくともサブセットに対してインジケータを送信しうる。このインジケータは、アップリンク周波数を切り換えるためのコマンドを含む。モバイル・デバイスは、このコマンドに応じて、周波数を移行させうる。
【００１０】
関連する態様によれば、通信システムにおいて動的な負荷平準化を容易にする方法が提供される。この方法は、１または複数のモバイル・デバイスによって送信されたランダム・アクセス・プリアンブルに少なくとも部分的に基づいて、負荷アンバランスが存在するかを判定することを備えうる。それに加えて、この方法はまた、１または複数のモバイル・デバイスの少なくともサブセットへ、獲得インジケータ・チャネルで、インジケータをシグナルすることを含む。このインジケータは、ランダム・アクセス・プリアンブルを送信するために、サブセットによって適用される周波数とは異なる新たな周波数へ移行するように命じるコマンドを含む。
【００１１】
別の態様は、通信システムにおいて、アップリンク周波数における動的な負荷平準化を容易にする装置に関する。この装置は、１または複数のモバイル・デバイスからのシグナリングに少なくとも部分的に基づいて、アップリンク周波数負荷を判定する負荷評価部を含みうる。この装置は、負荷評価部によって示された場合、負荷アンバランスに対する解決策を決定する平準化モジュールを含みうる。それに加えて、この装置は、少なくとも１つのモバイル・デバイスへインジケータをシグナルするＡＩＣＨモジュールを備えうる。このインジケータは、少なくとも１つのモバイル・デバイスに対して、新たなアップリンク周波数へ移行するように命じるコマンドを含む。
【００１２】
別の態様は、動的な負荷平準化を容易にする装置に関する。この装置は、第１のアップリンク周波数でランダム・アクセス・プリアンブルを送信するランダム・アクセス・モジュールを備えうる。この装置はまた、獲得インジケータ・チャネルで受信されたインジケータが、周波数を移行させるためのコマンドを含んでいるかを判定するＡＩＣＨ評価部をも含みうる。それに加えて、この装置は、このコマンドに応答して、アップリンク周波数を、第２の周波数へ切り換える周波数セレクタを備えうる。
【００１３】
また別の態様は、無線システムにおいて負荷アンバランスを動的に解決することを容易にする方法に関する。この方法は、第１のアップリンク周波数で、ランダム・アクセス・プリアンブルを送信することを備えうる。この方法はまた、獲得インジケータ・チャネルでインジケータを受信することを含みうる。このインジケータは、別のアップリンク周波数に移行させるためのコマンドを含んでいる。それに加えて、この方法は、このインジケータに応答して、第２のアップリンク周波数へ切り換わることを備えうる。
【００１４】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１５】
【図１】図１は、本明細書に記載されたさまざまな態様にしたがう無線通信システムの実例である。
【図２】図２は、複数のモバイル・デバイスを備えたセクタの例を含む無線通信システムの実例である。
【図３】図３は、Ｅ−ＡＩＣＨを利用する動的な負荷平準化を容易にする無線通信システムの例を示す。
【図４】図４は、モバイル・デバイスの周波数負荷を平準化することを容易にする方法の実例である。
【図５】図５は、負荷のあるシナリオにおいて周波数を切り換えることを容易にする方法の実例である。
【図６】図６は、負荷のある周波数状況においてアップリンク周波数を切り換えることを容易にするシステムの実例である。
【図７】図７は、アップリンク周波数負荷の動的な平準化を容易にするシステムの実例である。
【図８】図８は、本明細書に記載されたさまざまなシステムおよび方法と共に適用されうる無線ネットワーク環境の実例である。
【図９】図９は、無線通信ネットワークにおいて動的な負荷平準化を容易にするシステムの実例である。
【図１０】図１０は、コマンドに応答した周波数移行により動的に負荷平準化を行うことを容易にするシステムの実例である。
【発明を実施するための形態】
【００１６】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細無しで実現されうることが明からである。他の事例では、１または複数の実施形態の記載を容易にするために、周知の構成およびデバイスがブロック図形式で示される。
【００１７】
本願で使用されるように、用語「構成要素」、「モジュール」、「システム」などは、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１８】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用することができ、アクセス・ポイント、ノードＢ、イボルブド・ノードＢ（ｅＮｏｄｅ  ＢあるいはｅＮＢ）、基地トランシーバ局（ＢＴ）、あるいはその他の用語でも称されうる。
【００１９】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２０】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）などのような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。ＣＤＭＡ２０００およびＵＭＢは、「第３世代パートナシップ計画プロジェクト」（３ＧＰＰ２）と命名された組織からドキュメントに記述されている。
【００２１】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２２】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２３】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。例えば、これは、所望の方向に信号を発信するために、プリコーダを用いることによって提供されうる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、一例として、ピア・ツー・ビアまたはアド・ホック技術を使用して、互いにダイレクトに通信しうる。例によれば、システム１００は、複数入力複数出力（ＭＩＭＯ）通信システムでありうる。さらに、システム１００は、（例えば、順方向リンクや逆方向リンクのような）通信チャネルを分割するために、例えばＦＤＤ、ＴＤＤ等のような実質的に任意のタイプのデュプレクス技術を使用しうる。
【００２４】
図２に移って、１または複数の態様にしたがう無線通信システム２００が例示される。このシステム２００は、無線通信信号を受信し、他の基地局（図示せず）、または端末２０６のような１または複数の端末へ送信し、繰り返し等を行うアクセス・ポイントまたは基地局２０２を備えうる。基地局２０２は、例えば、各送信アンテナおよび各受信アンテナについて１つのように、複数の送信機チェーンおよび受信機チェーンを備えうる。それらのおのおのは、信号の送信および受信に関連付けられた複数の構成要素（例えば、プロセッサ、変調器、マルチプレクサ、復調器、デマルチプレクサ、アンテナ等）を備えうる。モバイル・デバイス２０６は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線システム２００を介して通信するために適切なその他任意のデバイスでありうる。それに加えて、モバイル・デバイス２０６は、例えば、複数入力複数出力（ＭＩＭＯ）システムのために使用されるような１または複数の送信機チェーンおよび受信機チェーンを備えうる。送信機チェーンおよび受信機チェーンはおのおのの、当業者によって認識されるであろうが、信号の送信および受信に関連付けられた複数の構成要素（例えば、プロセッサ、変調器、マルチプレクサ、復調器、デマルチプレクサ、アンテナ等）を備えうる。
【００２５】
図２に示されるように、基地局２０２は、特定の地理的領域またはセル２０６のために、通信有効範囲領域を提供する。「セル」という用語は、コンテキストに依存して、基地局および／またはその有効範囲領域を称しうる。システム容量を改善するために、アクセス・ポイント有効範囲領域は、複数のより小さな領域へ分割されうる。これら小さな領域のおのおのは、それぞれの基地トランシーバ・サブシステム（ＢＴＳ）によってサービス提供される。「セクタ」という用語は、コンテキストに依存して、ＢＴＳおよび／またはその有効範囲領域を称しうる。セクタ化されたセルについて、セルのすべてのセクタの基地トランシーバ・サブシステムは、一般に、そのセルのためのアクセス・ポイント内にともに存在する。
【００２６】
例によれば、例えばモバイル・デバイス２０４のようなモバイル・デバイスは、基地局２０２によってサービス提供される地理的領域２０６をカバーするセルまたはセクタを検出しうる。モバイル・デバイスは、同期チャネル（ＳＣＨ）によって、基地局２０２のタイミングおよび同期を獲得する。その後、モバイル・デバイスは、システム情報を獲得するために、ブロードキャスト・チャネル（ＢＣＨ）にアクセスし、復調しうる。実例によれば、システム情報は、何台のモバイル・デバイスがシステム２００にアクセスし、システム２００とインタラクトするのかを定義するパラメータのセットを含みうる。モバイル・デバイスは、ランダム・アクセス・チャネル（ＲＡＣＨ）でアクセス・プローブを送信しうる。実例によれば、アクセス・プローブは、ランダム・アクセス・プリアンブルを含みうる。基地局２０２は、アクセス・プローブを正しく検出した後に、ダウンリンクすなわち順方向リンク・チャネルで、モバイル・デバイスへアクセス許可メッセージを送信しうる。例えば、基地局２０２は、アクセスが許可されたことをモバイル・デバイス２０６へ通知する獲得インジケータを、獲得インジケータ・チャネル（ＡＩＣＨ）で送信しうる。それに加えて、基地局２０２は、モバイル・デバイス２０６の負荷歪みを判定するために、アクセス・プローブおよび／またはランダム・アクセス・プリアンブルを適用しうる。例えば、モバイル・デバイス２０６は、特定の周波数を極度に利用する一方、他の周波数は、さほど利用しない。基地局２０２は、１または複数のモバイル・デバイス２０６に対して、他の周波数に切り換わるように命じるために、特別なＡＩＣＨ値をシグナルし、その後、エンハンストＡＩＣＨ（Ｅ−ＡＩＣＨ）において、確保された値を適用しうる。
【００２７】
本明細書に記載された技術は、セクタ化されたセルを備えたシステム２００のみならず、セクタ化されていないセルを備えたシステムのためにも使用することができる。明確化のために、以下の記載は、セクタ化されたセルを備えたシステムに関する。「アクセス・ポイント」および「基地局」という用語は、セクタにサービス提供する固定局のみならず、セルにサービス提供する固定局のためにも一般的に使用される。「端末」、「ユーザ」、および「ユーザ機器」という用語は、置換可能に使用され、「セクタ」、「アクセス・ポイント」、および「基地局」という用語もまた、置換可能に使用される。サービス提供するアクセス・ポイント／セクタは、端末が通信するアクセス・ポイント／セクタである。近隣アクセス・ポイント／セクタは、端末が通信していないアクセス・ポイント／セクタである。
【００２８】
図３に示すように、エンハンスト獲得インジケータ・チャネル（Ｅ−ＡＩＣＨ）においてシグナリングを利用する、動的な負荷平準化を容易にする無線通信システム３００が例示されている。このシステム３００は、モバイル・デバイス３０４（および／または、（図示しない）他の任意の数のデバイス）と通信しうる基地局３０２を含む。基地局３０２は、順方向リンクすなわちダウンリンク・チャネルによって、モバイル・デバイス３０４に情報を送信しうる。さらに、基地局３０２は、逆方向リンクすなわちアップリンク・チャネルによって、モバイル・デバイス３０４から情報を受信しうる。さらに、モバイル・デバイス３０４は、ＭＩＭＯシステムまたは複数ベアラ・システムでありうる。ここでは、モバイル・デバイス３０４は、複数のラジオ・ベアラ（例えば、論理チャネル）にサービス提供する。さらに、システム３００は、ＯＦＤＭＡ無線ネットワーク（例えば、３ＧＰＰ、３ＧＰＰ２、３ＧＰＰ  ＬＴＥ等）で動作しうる。さらに、基地局３０２内に示され、以下に説明される構成要素および機能は、一例として、逆に、モバイル・デバイス３０４内にも存在しうる。
【００２９】
基地局３０２は、モバイル・デバイスのシグナリングに少なくとも部分的に基づいて、アップリンク周波数負荷を判定する負荷評価部３０６を含みうる。基地局３０２はまた、負荷アンバランスに対する解決策を決定する平準化モジュール３０８を含みうる。それに加えて、基地局３０２は、平準化モジュール３０８によって決定された解決策を実施するＡＩＣＨモジュール３１０を含む。モバイル・デバイス３０４は、特定のアップリンク周波数を用いるアクセス・プローブおよび／またはランダム・アクセス・プリアンブルをシグナルするランダム・アクセス・モジュール３１２を含みうる。さらに、モバイル・デバイス３０４はまた、移行コマンドが示されたかを判定するために、基地局３０２からのＡＩＣＨ信号を分析するＡＩＣＨ評価部３１４を含みうる。それに加えて、モバイル・デバイス３０４は、モバイル・デバイス３０４によって使用されるアップリンク周波数を移行させるための周波数セレクタ３１６を含みうる。
【００３０】
例によれば、ダウンリンク周波数およびアップリンク周波数は、周波数分割デュプレクス（ＦＤＤ）システム内でペアとされる。特定のダウンリンク周波数ｆ１は、例えば、特定のアップリンク周波数ｆ１’とペアとされる。あるラジオ・リソース制御（ＲＲＣ）状態（例えば、ＣＥＬＬ＿ＰＣＨ、ＣＥＬＬ＿ＦＡＣＨ等）では、ユーザ機器またはモバイル・デバイスは、ネットワーク（例えば、ＵＭＴＳ地上ラジオ・アクセス・ネットワーク（ＵＴＲＡＮ））によって構成されたセル再選択メカニズムにしたがって特定のキャリアを選択しうる。したがって、複数のモバイル・デバイスまたはＵＥが、別の周波数ｆ２に対して特定の周波数ｆ１へキャンプする（接続を継続する）状況がありうる。周波数ｆ１においてモバイル・デバイスが複数接続されることによって、他のアップリンク周波数よりも負荷の高い（ダウンリンク周波数ｆ１とペアとされた）アップリンク周波数ｆ１’となりうる。それに加えて、あるＲＲＣ接続モード状態（例えば、ＣＥＬＬ＿ＤＣＨ）では、データ・トラフィックは予測不能であり、エンハンスト専用チャネル（Ｅ−ＤＣＨ）使用が高く要求される状況が生じうる。これは、特定のキャリアにおける高い負荷をもたらす。したがって、アップリンク負荷アンバランスは、アップリンクにおけるＥ−ＤＣＨトラフィックにおける突然の要求から生じるか、および／または、基地局において利用可能な共通のＥ−ＤＣＨリソースの欠如（例えば、ＣＥＬＬ＿ＰＣＨ状態および／またはＣＥＬＬ＿ＦＡＣＨ状態におけるキャリアのペアに、多くのユーザがキャンプすることによるアンバランス）によって生じうる。それに加えて、負荷アンバランスはまた、処理負荷のみならず、オーバ・ザ・エアの負荷によっても生じうる。例えば、基地局３０２は、特定の周波数におけるモバイル・デバイス３０４にサービス提供するのに十分な処理容量を有していないことがある。したがって、基地局３０２は、モバイル・デバイス３０４がランダム・アクセスを開始した場合、モバイル・デバイス３０４に対して、異なるアップリンク周波数で送信することを要求しうる。
【００３１】
このシステム３００は、基地局３０２がモバイル・デバイスに対して、他の周波数へ移行するように命ずることを可能にすることによって、負荷のアンバランスを動的に解決しうる。例示となる実施形態によれば、モバイル・デバイス３０４は、特定のダウンリンク周波数（例えば、ダウンリンク周波数ｆ１）で基地局３０２へ接続されうる。モバイル・デバイス３０４のランダム・アクセス・モジュール３１２は、アップリンク周波数ｆ１’（例えば、ダウンリンク周波数ｆ１とペアとされたアップリンク周波数）で基地局３０２へランダム・アクセス・プリアンブルおよび／またはアクセス・プローブを送信しうる。基地局３０２は、基地局３０２に接続された他のモバイル・デバイス（図示せず）から、ランダム・アクセス・プリアンブルを受信することが認識されるべきである。負荷評価部３０６は、その周波数で受信したランダム・アクセス・プリアンブルに少なくとも部分的に基づいて、特定の周波数における負荷を判定しうる。例えば、基地局３０２は、周波数ｆ１’で多くのモバイル・デバイスからプリアンブルを受信し、他の周波数で１または２つのモバイル・デバイスのためのプリアンブルを受信しうる。これから、負荷評価部３０６は、周波数ｆ１’が、他の周波数に対して高い負荷がかかっていることを確証しうる。したがって、負荷評価部３０６は、１つの態様において、他の周波数に対する特定の周波数におけるユーザ数を分析することによって、周波数における負荷を判定しうる。
【００３２】
それに加えて、負荷評価部３０６は、基地局３０２へ接続されているユーザの合計数に関連して、周波数における負荷を評価しうる。
【００３３】
負荷アンバランスに応じて、平準化モジュール３０８は、平準化の解決法を実施しうる。例えば、平準化モジュール３０８は、周波数に負荷を与えている複数のモバイル・デバイスから、どのモバイル・デバイスが移行すべきかを判定しうる。さらに、平準化モジュール３０８は、基地局３０２に対して、新たな接続要求を拒否し、これらユーザに対して、他の周波数へ移行するように命じうる。ＡＩＣＨ／Ｅ−ＡＩＣＨの組み合わせシグナリングを用いて実現される限り、平準化モジュール３０８によって任意の平準化スキームが実施されうることが認識されるべきである。ＡＩＣＨモジュール３１０は、ランダム・アクセス・プリアンブルに応じて、モバイル・デバイス（例えば、モバイル・デバイス３０４）に対して、このアンバランスを緩和するために周波数を切り換えるように指示しうる。例によれば、ＡＩＣＨモジュール３１０は、−１であるＡＩＣＨ値をシグナルしうる。これは、アクセス・プローブまたはランダム・アクセス・プリアンブルの否定的なアクノレッジメントを示す。それに加えて、ＡＩＣＨモジュール３１０は、モバイル・デバイス３０４に対して別のアップリンク周波数へ移行するように示すために、確保されたＥ−ＡＩＣＨ値を送信しうる。モバイル・デバイス３０４のＡＩＣＨ評価部３１４は、周波数切換コマンドが発行されたかを判定するために、このＡＩＣＨ／Ｅ−ＡＩＣＨシグナリングを分析しうる。例えば、ＡＩＣＨ評価部３１４は、否定的なアクノレッジメントＡＩＣＨ値、および、確保されたＥ−ＡＩＣＨ値を確認しうる。１つの態様によれば、周波数セレクタ３１６は、モバイル・デバイス３０４を別のアップリンク周波数ｆ２’へと移行させうる。１つの態様によれば、アップリンク周波数ｆ２’は、モバイル・デバイス３０４内に予め設定されうる。周波数ｆ１、ｆ１’、ｆ２、ｆ２’は、例示的な目的のために説明されており、さらなる周波数が適用および／または予め設定されうることが認識されるべきである。例えば、モバイル・デバイス３０４は、アンバランスを緩和するために、移行すべき２より多くの周波数を有しうる。ＡＩＣＨモジュール３１０は、ＡＩＣＨシグナリングにおいて確保された値を含みうる。これは、モバイル・デバイス３０４によって適用されるべき周波数を示す。
【００３４】
１つの態様では、モバイル・デバイス３０４は、ダウンリンク周波数（例えば、周波数ｆ１）に接続され続け、アップリンク周波数を切り換える場合、ダウンリンク周波数を切り換えない。ダウンリンク周波数のみならず、アップリンク周波数も切り換えないことによって、ラジオ・ネットワーク・コントローラ（ＲＮＣ）による動作が回避されうる。しかしながら、ダウンリンクとアップリンクとの周波数ペアリングを維持するために、ダウンリンク周波数およびアップリンク周波数がともに切り換わりうることが認識されるべきである。周波数を切り換えた後、モバイル・デバイス３０４は、新たなアップリンク周波数（例えば、アップリンク周波数ｆ２’）においてランダム・アクセス手続を開始しうる。
【００３５】
アップリンク周波数を切り換える場合、モバイル・デバイス３０４が、ダウンリンク周波数にとどまることができるのであれば、基地局３０２は、モバイル・デバイス３０４が１つのダウンリンク周波数（例えば、周波数ｆ１）を傍受するが、別の、ペアされていないアップリンク周波数（例えば、周波数ｆ２’）で送信するケースと、モバイル・デバイス３０２がダウンリンク周波数とアップリンク周波数との両方を切り換える（例えば、ペアされた周波数ｆ２、ｆ２’で傍受および送信する）ケースと、を区別することが困難となりうる。モバイル・デバイス３０４が、新たなアップリンク周波数でランダム・アクセス手続を開始する場合、基地局３０２は、適切な周波数で、モバイル・デバイス３０４へＡＩＣＨ／Ｅ−ＡＩＣＨシグナリングを通信するために、これらケースを区別する必要がある。
【００３６】
１つの態様では、アンバランスによって、アップリンク周波数が変更される場合には常に、モバイル・デバイス３０４もまた、ダウンリンク周波数を再調節しうる。周波数セレクタ３１６は、基地局３０２からの周波数切換コマンドに応じて、ダウンリンク周波数を、移行先のアップリンク周波数とペアとされた周波数へ変更しうる。この再構築には、約１ミリ秒を有しうる。モバイル・デバイス３０４は、周波数を切り換えたことをＵＭＴＳ地上ラジオ・アクセス・ネットワーク（ＵＴＲＡＮ）に通知するために、セル更新手続を実行しうる。
【００３７】
別の態様によれば、モバイル・デバイス３０４は、アップリンク周波数の移行前に利用されていたダウンリンク周波数を傍受し続けうる。ランダム・アクセス手続中にモバイル・デバイス３０４によって送信されたランダム・アクセス・プリアンブルは、モバイル・デバイス３０４によってモニタされているダウンリンク周波数を基地局３０２に対して示すフィールドを含めるように、部分的に分割されうる。衝突の可能性が高まることのないように、プリアンブルは、利用可能なすべてのダウンリンク／アップリンク周波数ペアリング（例えば、Ｎ個のペア。ここで、Ｎは、２以上の任意の整数）に適応するために、かなりの分割を必要としうる。モバイル・デバイス３０４は、デュアル・セル高速ダウンリンク・パケット・アクセス（ＤＣ−ＨＳＤＰＡ）機能であるか、あるいは、少なくとも２つのダウンリンク周波数を傍受可能なその他いくつかのマルチ・キャリア・デバイスでありうることが認識されるべきである。基地局３０２は、ＤＣ−ＨＳＤＰＡまたはマルチ・キャリア機能のモバイル・デバイスを認識する必要はない。
【００３８】
さらに、図示していないが、基地局３０２は、負荷を評価すること、平準化の解決策を実施すること、移行コマンドをシグナルすること等に関する命令群を保持するメモリを含みうることが認識されるべきである。それに加えて、モバイル・デバイス３０４はまた、ランダム・アクセス手続を実施すること（例えば、ランダム・アクセス・プリアンブルを送信すること）、周波数移行コマンドを識別すること、周波数を切り換えること等に関連する命令群を保持するメモリをも含みうる。さらに、基地局３０２およびモバイル・デバイス３０４は、命令群（例えば、メモリ内に保持された命令群、別のソースから取得された命令群）を実行することに関して利用されるプロセッサを含みうる。
【００３９】
図４乃至図５に示すように、ＡＩＣＨ／Ｅ−ＡＩＣＨシグナリングを利用する動的な負荷平準化に関する方法が記載される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００４０】
図４に移って、無線通信システムにおいて接続されたモバイル・デバイスによる周波数負荷を動的に平準化することを容易にする方法４００が例示されている。この方法４００は、例えば、基地局（例えば、ＮｏｄｅＢ、イボルブドＮｏｄｅＢ、アクセス・ポイント等）によって実施されうる。参照番号４０２では、１または複数のアクセス端末（例えば、ユーザ機器（ＵＥ）、モバイル・デバイス、ハンドセット）から、ランダム・アクセス・プリアンブルが受信される。このランダム・アクセス・プリアンブルは、１または複数の端末が接続されているダウンリンク周波数に対応するアップリンク周波数で受信されうる。参照番号４０４では、１または複数の端末の周波数負荷が判定される。例えば、１または複数の端末は、特定のダウンリンク周波数にキャンプされ、その結果、対応するアップリンク周波数に対する要求が高くなる。したがって、１または複数の端末の相対的な負荷が確認される。例示によれば、周波数負荷は、受信されたランダム・アクセス・プリアンブルを送信するために適用される周波数にしたがって判定されうる。例えば、特定の周波数で受信されたプリアンブルの数は、その周波数に負荷に相当する。参照番号４０６では、ＡＩＣＨ／Ｅ−ＡＩＣＨペイロードが生成される。態様によれば、このペイロードは、平準化スキームに基づいて生成されうる。例示によれば、多く利用されている周波数における負荷アンバランスを修正するために、端末のサブセットに対して、負荷の少ない周波数へ移行するように命じるためのペイロードが生成されうる。ＡＩＣＨ／Ｅ−ＡＩＣＨペイロードは、否定的なアクノレッジメント（例えば、−１）を示すＡＩＣＨ値と、周波数を切り換えるコマンドを示す、確保されたＥ−ＡＩＣＨ値とを含みうる。参照番号４０８では、このペイロードが、ランダム・アクセス・プリアンブルを送信した１または複数の端末のうちの少なくともサブセットへとシグナルされる。端末のサブセットは、その後、無線通信システムにおいて、平準化された周波数負荷を提供するために、周波数を切り換えうる。
【００４１】
図５に移って、無線通信システムにおける負荷のあるシナリオにおいて、周波数を切り換えることを容易にする方法５００が例示される。態様によれば、方法５００は、モバイル・デバイスによって適用されうる。参照番号５０２では、ランダム・アクセス・プリアンブルが、第１の周波数でシグナルされうる。例えば、第１の周波数は、接続時に適用されているダウンリンク周波数に対応するアップリンク周波数でありうる。参照番号５０４では、ＡＩＣＨ／Ｅ−ＡＩＣＨ送信が評価される。例えば、ＡＩＣＨ値は、ランダム・アクセス・プリアンブルの否定的アクノレッジメントを示すか、および／または、Ｅ−ＡＩＣＨ信号にコマンドが含まれているかを示しうる。確保されたＥ−ＡＩＣＨ値は、アップリンク周波数を移行させるためのコマンドを示すために、ＡＩＣＨ値を伴いうる。参照番号５０６では、第２の周波数への移行が生じる。一例では、第２の周波数は、予め設定されうる。さらに、ダウンリンク周波数は、ネットワーク・コントローラによる動作を回避するために、不変でありうる。参照番号５０８では、ランダム・アクセス手続が、第２の周波数で開始される。
【００４２】
本明細書に記載された態様によれば、周波数負荷バランスの判定、平準化の解決策の実施、周波数の移行等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４３】
図６は、本開示の態様にしたがってアップリンク要求を適用することを容易にするモバイル・デバイス６００の実例である。モバイル・デバイス６００は、開示された主題の態様にしたがって、無線通信システムにおいて、モバイル・デバイスに関連付けられた通信を容易にしうる。モバイル・デバイス６００は、例えば、システム１００、システム２００、システム３００、方法４００、および方法５００に関してより説明されたように、モバイル・デバイス１１６、１２２、２０４、３０４と同じまたは類似しているか、および／または、同じまたは類似の機能を備えうることが認識されるべきである。  モバイル・デバイス６００は、受信機６０２を備える。この受信機６０２は、例えば、（図示しない）受信アンテナから信号を受信し、受信した信号について一般的な動作（例えば、フィルタ、増幅、ダウンコンバート等）を行い、調整された信号をデジタル化して、サンプルを得る。受信機６０２は、例えばＭＭＳＥ受信機であり、受信したシンボルを復調し、それらをチャネル推定のためにプロセッサ６０６へ送る復調器６０４を備えうる。プロセッサ６０６は、受信機６０２によって受信された情報を分析すること、および／または、送信機６１６による送信のための情報を生成することに特化されたプロセッサ、モバイル・デバイス６００の１または複数の構成要素を制御するプロセッサ、および／または、受信機６０２によって受信された情報を分析することと、送信機６１６による送信のための情報を生成することと、モバイル・デバイス６００のうちの１または複数の構成要素を制御することとのすべて行うプロセッサでありうる。モバイル・デバイス６００はまた、変調器６１４をも備えうる。変調器６１４は、例えば、基地局（例えば、１０２、２０２、３０２）、他のモバイル・デバイス（例えば、１２２）等へ信号（例えば、データ）を送信することを容易にするために、送信機６１６と連携して動作しうる。
【００４４】
モバイル・デバイス６００はさらに、プロセッサ６０６に動作可能に接続されたメモリ６０８を備える。このメモリは、送信されるべきデータと、受信したデータと、利用可能なチャネルに関連する情報と、分析された信号および／または干渉強度に関連付けられたデータと、割り当てられたチャネル、電力、レート等に関連する情報と、チャネルの推定およびチャネルを介した通信のために適切なその他任意の情報とを格納しうる。メモリ６０８はさらに、（例えば、パフォーマンス・ベース、キャパシティ・ベース等での）チャネルの推定および／または利用に関連付けられたアルゴリズムおよび／またはプロトコルを格納しうる。さらに、メモリ６０８は、モバイル・デバイス６００によってサービス提供される１または複数のベアラに関連する優先ビット・レート、最大ビット・レート、キュー・サイズ等を保持しうる。
【００４５】
本明細書に記載されたデータ・ストア（例えば、メモリ６０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ６０８は、限定される訳ではないが、これらおよびその他任意の適切なタイプのメモリを備えることが意図される。
【００４６】
プロセッサ６０６は、移行コマンドが示されているかを判定するために、基地局からのＡＩＣＨ／Ｅ−ＡＩＣＨ信号を分析するＡＩＣＨ評価部６１０に動作可能に接続されうる。ＡＩＣＨ／Ｅ−ＡＩＣＨ信号は、特定のアップリンク周波数でモバイル・デバイス６００によって送信されたランダム・アクセス・プリアンブルに対して応答しうる。ＡＩＣＨ／Ｅ−ＡＩＣＨ信号は、否定的アクノレッジメントを示すＡＩＣＨ値と、負荷アンバランスによって、アップリンク周波数を切り換えさせるためのコマンドを示す、確保されたＥ−ＡＩＣＨ値とを含みうる。プロセッサ６０６はさらに、周波数を切り換えさせるためのコマンドを含むＡＩＣＨ／Ｅ−ＡＩＣＨ信号に応じてアップリンク周波数を切り換える周波数セレクタ６１２に接続されうる。一例において、移行先の周波数は、モバイル・デバイス６００上で予め設定されうる。モバイル・デバイス６００は、移行後、新たなアップリンク周波数で、ランダム・アクセス手続を開始しうる。モバイル・デバイス６００はさらに、信号を変調する変調器６１４と、この信号を例えば基地局、別のモバイル・デバイス等へ送信する送信機６１６とを備える。プロセッサ６０６と別に示されているが、ＡＩＣＨ評価部６１０、周波数セレクタ６１２、復調器６０４、および／または、変調器６１４は、プロセッサ６０６または複数のプロセッサ（図示せず）の一部でありうることが認識されるべきである。
【００４７】
図７は、開示された主題の態様にしたがって、無線通信システムにおけるモバイル・デバイスに関連付けられた通信を容易にするシステム７００の実例である。このシステム７００は、複数の受信アンテナ７０６によって１または複数のモバイル・デバイス７０４から信号を受信する受信機７１０と、送信アンテナ７０８によって１または複数のモバイル・デバイス７０４へ信号を送信する送信機７２４とを備える、基地局７０２（例えば、アクセス・ポイント）を備える。受信機７１０は、受信アンテナ７０６から情報を受信する。さらに、受信した情報を復調する復調器７１２と動作可能に関連付けられている。復調されたシンボルは、プロセッサ７１４によって分析されうる。このプロセッサ７０４は、受信機７１０によって受信された情報を分析し、送信機７２４による送信のための情報を生成することに特化されたプロセッサであるか、基地局７０２の１または複数の構成要素を制御するプロセッサであるか、および／または、受信機７１０によって受信された情報の分析と、送信機７２４による送信のための情報の生成と、基地局７０２の１または複数の構成要素の制御とを同時に行うプロセッサでありうる。それに加えて、プロセッサ７１４は、図６に関して上述されたプロセッサと類似しており、メモリ７１６に接続されている。このメモリ７１６は、信号（例えば、パイロット）強度および／または干渉強度を推定することに関する情報、モバイル・デバイス７０４（または（図示しない）他の基地局）へ送信されるデータ、またはモバイル・デバイス７０４（または（図示しない）他の基地局）から受信したデータ、および／または、本明細書に記載されたさまざまな動作および機能を実行することに関連するその他任意の適切な情報を格納する。
【００４８】
さらに、メモリ７１６は、送信されるデータと、受信したデータと、利用可能なチャネルに関する情報と、分析された信号および／または干渉強度に関連付けられたデータと、割り当てられたチャネル、電力、レート等に関連する情報と、チャネルの推定およびチャネルを介した通信のために適切なその他任意の情報とを格納しうる。メモリ７１６はさらに、（例えば、パフォーマンス・ベース、キャパシティ・ベース等での）チャネルの推定および／または利用に関連付けられたアルゴリズムおよび／またはプロトコルを格納しうる。基地局７０２はまた、変調器７２２を備えうる。この変調器７２２は、例えばモバイル・デバイス７０４、他のデバイス等へ信号（例えば、データ）を送信することを容易にするために、送信機７２４と連携して動作しうる。
【００４９】
本明細書に記載されたメモリ７１６は、揮発性メモリか不揮発性メモリの何れかであるか、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５０】
プロセッサ７１４はさらに、負荷評価部７１８に接続される。負荷評価部７１８は、モバイル・デバイス７０４によって送信されたランダム・アクセス・プリアンブルに少なくとも部分的に基づいて、周波数負荷を判定しうる。さらに、プロセッサ７１４は、負荷評価部７１８によって判定された場合、アップリンク周波数のアンバランスを修正するために、平準化解決法を実施する平準化モジュール７２０に接続されうる。さらに、プロセッサ７１４と別に示されているが、負荷評価部７１８、平準化モジュール７２０、復調器７１２、および／または、変調器７２２は、プロセッサ７１４または複数のプロセッサ（図示せず）の一部でありうることが認識されるべきである。
【００５１】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的に同じでも、別のものでもありうることが認識されるべきである。さらに、基地局８１０および／またはモバイル・デバイス８５０は、その間の無線通信を容易にするために、本明細書に記載のシステム（図１乃至図３、図６および図７）および／または方法（図４乃至図７）を適用しうることが認識されるべきである。
【００５２】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符号化スキームに基づいて符号化し、インタリーブして、符号化されたデータを提供する。
【００５３】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００５４】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００５５】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００５６】
モバイル・デバイス８５０では、送信された変調信号は、ＮＲ個のアンテナ８５２ａ乃至８５２ｒによって受信され、おのおののアンテナ８５２から受信された信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５７】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００５８】
プロセッサ８７０は、上述したように、どの事前符号化行列を使用するのかを定期的に決定する。さらに、プロセッサ８７０は、行列インデクス部およびランク値部を備えた逆方向リンク・メッセージを規定することができる。
【００５９】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００６０】
基地局８１０では、モバイル・デバイス８５０からの変調信号が、アンテナ８２４によって受信され、受信機８２２によって調整され、復調器８４０によって復調され、ＲＸデータ・プロセッサ８４２によって処理されて、モバイル・デバイス８５０によって送信された逆方向リンク・メッセージが抽出される。さらに、プロセッサ８３０は、ビームフォーミング重みを決定するためにどの事前符号化行列を使用するかを決定するために、この抽出されたメッセージを処理する。
【００６１】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００６２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００６３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００６４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６５】
図９を参照して、無線通信ネットワークにおいて、動的な負荷平準化を容易にするシステム９００が例示される。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、ダウンリンク周波数で、少なくとも１つのモバイル・デバイスとの接続を確立するための電子構成要素９０４を含みうる。さらに、論理グループ９０２は、アップリンク周波数において負荷アンバランスが存在するかを判定するための電子構成要素９０６を備えうる。さらに、論理グループ９０２は、獲得インジケータ・チャネルでインジケータをシグナリングするための電子構成要素９０８を備えうる。さらに、システム９００は、電子構成要素９０４、９０６、９０８に関連付けられた機能を実行するための命令群を保持するメモリ９１０を含みうる。メモリ９１０の外側にあると示されているが、電子構成要素９０４、９０６、９０８のうちの１または複数は、メモリ９１０内に存在しうることが理解されるべきである。
【００６６】
図１０に移って、無線通信ネットワークにおいて動的な負荷平準化を容易にするシステム１０００が例示される。例えば、システム１０００は、基地局、モバイル・デバイスなどの中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、アップリンク周波数とペアをなすダウンリンク周波数で、基地局へ接続するための電子構成要素１００４を含みうる。さらに、論理グループ１００２は、アップリンク周波数でランダム・アクセス・プリアンブルを送信するための電子構成要素１００６を備えうる。さらに、論理グループ１００２は、アップリンク周波数を切り換えるためのコマンドを含むインジケータを受信するための電子構成要素１００８を備えうる。さらに、論理グループ１００２は、新たなアップリンク周波数へ移行するための電子構成要素１０１０を含みうる。さらに、システム１０００は、電子構成要素１００４、１００６、１００８、１０１０に関連付けられた機能を実行するための命令群を保持するメモリ１０１２を含みうる。メモリ１０１２の外側にあると示されているが、電子構成要素１００４、１００６、１００８、１０１０のうちの１または複数は、メモリ１０１２内に存在しうることが理解されるべきである。
【００６７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは状態機器を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００６８】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ＣＤ）、レーザ・ディスク、光ディスク、デジタル・バーサタイル・ディスク（ＤＶＤ）、フロッピー（登録商標）ディスク、およびブルーレイ・ディスクを含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００６９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【００７０】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、出願当初の特許請求の範囲に記載された発明を付記する。
［Ｃ１］
通信システムにおいて動的な負荷平準化を容易にする方法であって、
１または複数のモバイル・デバイスによって送信されたランダム・アクセス・プリアンブルに少なくとも部分的に基づいて、負荷アンバランスが存在するかを判定することと、
前記１または複数のモバイル・デバイスの少なくともサブセットに、獲得インジケータ・チャネルで、インジケータをシグナルすることとを備え、
前記インジケータは、前記ランダム・アクセス・プリアンブルを送信するために、前記サブセットによって適用されている周波数とは異なる新たな周波数に移行するように命じるコマンドを含む方法。
［Ｃ２］
ダウンリンク周波数で、前記１または複数のモバイル・デバイスとの接続を確立することをさらに備えるＣ１に記載の方法。
［Ｃ３］
前記ダウンリンク周波数は、前記ランダム・アクセス・プリアンブルを送信するために使用される周波数とペアとされるＣ２に記載の方法。
［Ｃ４］
前記新たな周波数は、前記ダウンリンク周波数とペアとされないＣ２に記載の方法。
［Ｃ５］
前記負荷アンバランスを判定することは、第１の周波数が、第２の周波数よりも負荷が高いかを確認することを備えるＣ１に記載の方法。
［Ｃ６］
通信システムにおいて、アップリンク周波数における動的な負荷平準化を容易にする装置であって、
１または複数のモバイル・デバイスからのシグナリングに少なくとも部分的に基づいて、アップリンク周波数の負荷を判定する負荷評価部と、
前記負荷評価部によって負荷アンバランスが示された場合、負荷アンバランスに対する解決策を決定する平準化モジュールと、
少なくとも１つのモバイル・デバイスへインジケータをシグナルするＡＩＣＨモジュールとを備え、
前記インジケータは、前記少なくとも１つのモバイル・デバイスに対して、新たなアップリンク周波数へ移行するように命じるコマンドを含む装置。
［Ｃ７］
前記１または複数のモバイル・デバイスからのシグナリングは、ランダム・アクセス・プリアンブルを含むＣ６に記載の装置。
［Ｃ８］
前記１または複数のモバイル・デバイスからのシグナリングは、前記１または複数のモバイル・デバイスに接続されたダウンリンク周波数とペアとされたアップリンク周波数で受信されるＣ６に記載の装置。
［Ｃ９］
前記新たなアップリンク周波数は、前記ダウンリンク周波数とペアとされないＣ８に記載の装置。
［Ｃ１０］
前記ＡＩＣＨモジュールは、前記インジケータを、獲得インジケータ・チャネルまたはエンハンスト獲得インジケータ・チャネルのうちの少なくとも１つでシグナルするＣ６に記載の装置。
［Ｃ１１］
動的な負荷平準化を容易にする装置であって、
ランダム・アクセス・プリアンブルを第１のアップリンク周波数で送信するランダム・アクセス・モジュールと、
獲得インジケータ・チャネル（ＡＩＣＨ）で受信されたインジケータが、周波数を移行させるためのコマンドを含んでいるかを判定するＡＩＣＨ評価部と、
前記コマンドに応じて、アップリンク周波数を第２の周波数に切り換える周波数セレクタと
を備える装置。
［Ｃ１２］
切り換え後、前記ランダム・アクセス・モジュールは、前記第２の周波数におけるランダム・アクセス手続を開始するＣ１１に記載の装置。
［Ｃ１３］
前記第１のアップリンク周波数は、送信を受信するために前記装置によって適用されるダウンリンク周波数とペアとされるＣ１１に記載の装置。
［Ｃ１４］
前記第２の周波数は、予め設定されるＣ１１に記載の装置。
［Ｃ１５］
前記第２の周波数は、送信を受信するために使用されるダウンリンク周波数とペアとされないＣ１１に記載の装置。
［Ｃ１６］
通信システムにおいて負荷アンバランスを動的に解決する方法であって、
ランダム・アクセス・プリアンブルを第１のアップリンク周波数で送信することと、
別のアップリンク周波数に移行するためのコマンドを含むインジケータを、獲得インジケータ・チャネルで受信することと、
前記インジケータに応じて、第２のアップリンク周波数へ切り換えることと
を備える方法。
［Ｃ１７］
前記第１のアップリンク周波数とペアをなすダウンリンク周波数で、基地局に接続することをさらに備えるＣ１６に記載の方法。
［Ｃ１８］
前記第２のアップリンク周波数は、前記ダウンリンク周波数とペアとされないＣ１７に記載の方法。
［Ｃ１９］
前記第２の周波数において、ランダム・アクセス手続を開始することをさらに備えるＣ１６に記載の方法。
［Ｃ２０］
前記第２の周波数は、予め設定されるＣ１６に記載の方法。
【図１】
0005536181.tif 000002
【図２】
0005536181.tif 000003
【図３】
0005536181.tif 000004
【図４】
0005536181.tif 000005
【図５】
0005536181.tif 000006
【図６】
0005536181.tif 000007
【図７】
0005536181.tif 000008
【図８】
0005536181.tif 000009
【図９】
0005536181.tif 000010
【図１０】
0005536181.tif 000011